(57)【要約】【課題】手足が不自由であっても、また寝たきり状態の高齢者や病人を介護する者であっても、脱ぎ着が容易で着心地の良いパジャマを提供することにある。【解決手段】本発明のパジャマは、上衣２と下衣３とから構成され、このうち上衣２は胴部４と一対の袖部５，５とから成り、袖部５，５は胴部４の肩部位に着脱可能に設置されている。この胴部４は、さらに前身頃４aと後身頃４ｂとから構成されており、この前身頃４aと後身頃４ｂは、胴部４の肩側に位置する縁部と、脇下から裾に亘って位置する縁部がそれぞれ結合されたものとなる。肩の上端部分にある縁部は縫い合わされたものであり、脇下から裾にかけて形成されている縁部は、この縁部に沿って対向するように設置されている側部用面ファスナー４ｃ，４ｄによって結合されている。一方、略矩形のシート体である下衣３は、腰の周りにおいて筒状に巻いて着用する。【選択図】図１
2020063530.tif 000002
【特許請求の範囲】
【請求項１】
上衣と下衣から構成されるパジャマであって、 
前記上衣は、肩部のみ連結された前身頃と後身頃から形成されている胴部と、一対の袖部とから構成され、 
前記胴部と前記袖部の接続部では、前記胴部と前記袖部にそれぞれ袖部用面ファスナーが対向するように設置されており、 
前記胴部の脇下に位置し、前記前身頃の縁端と隣接する前記後身頃の縁端には、これらの縁端に沿ってそれぞれ側部用面ファスナーが対向するように設置され、胴囲方向において、前記側部用面ファスナーのうち一方が他方よりも幅広となることを特徴とするパジャマ。 
【請求項２】
前記袖部には、この袖部を前記胴部へ取付ける際に前記袖部の接続位置を示す位置決め部が付されていることを特徴とする請求項１に記載のパジャマ。 
【請求項３】
前記下衣は、表地と裏地とから構成されている略矩形のシート体であり、 
このシート体の一辺は腰に巻き付けて固定される腰固定部となり、 
この腰固定部に隣接する二辺の縁端において、これら縁端に沿って前記表地と前記裏地に下衣用面ファスナーが対向するように設置され、 
前記胴囲方向において、前記下衣用面ファスナーのうち一方が他方よりも幅広となることを特徴とする請求項１または請求項２に記載のパジャマ。 
【請求項４】
前記裏地に、脚固定用ベルトが設置されていることを特徴とする請求項３に記載のパジャマ。
【発明の詳細な説明】
【技術分野】
【０００１】
本発明は、特に手足の不自由な者や、寝たきり状態の高齢者や病人を介護や補助する者にとって、脱ぎ着を容易に行うことができ、かつ就寝中や活動時に下衣の裾が捲り上がってしまうこと等のないパジャマに関する。
【背景技術】
【０００２】
我々の生活において、衣服の脱ぎ着は毎日のように行われるものであるため、その作業を負担に感じることは殆どない。しかしながら、怪我等により手足が不自由になった場合、このような衣服の脱ぎ着は肉体的かつ精神的負担を伴う作業に一変する。さらに、自力で衣服の脱ぎ着が困難な寝たきり状態の高齢者や病人の場合、衣服の脱ぎ着は病人本人の負担に加えて、身の回りの世話をする介護者や補助者にとっても肉体的かつ精神的負担を伴うものとなる。なぜなら、介護者が病人の衣服を脱ぎ着させる場合、高齢者や病人に可能な限り痛みを感じさせないようにするため、彼らの体を支持しながら時間をかけて衣服を脱ぎ着させなければならないからである。このように、手足の不自由な者、寝たきり状態の高齢者や病人、更には彼らを介護や補助する者にとって、衣服の脱ぎ着は過酷なものとなる。
【０００３】
手足の不自由な者、寝たきり状態の高齢者や病人、及び介護／補助する者にとって、衣服の脱ぎ着が容易となる技術があれば、彼らの肉体的かつ精神的な負担は大幅に軽減され、より良い生活を送ることができると考えられる。また、そのような技術があれば、これまで重労働のため厳しいと考えられてきた、高齢者や女性の介護分野への参加も可能となる。このことは、少子高齢化社会への移行に伴い予測されている、介護従事者不足への対策にも繋がると考えられる。
【０００４】
このような背景から、手足が多少不自由な者でも自力で脱ぎ着でき、また女性や高齢の介護者であっても容易に脱ぎ着を補助できる、新しい衣服の開発が近年盛んに行われるようになっている。最近では、脱ぎ着の容易な衣服に関する技術が具体的にいくつか開示されている。
【０００５】
例えば特許文献１では、「介護用パジャマ」という名称で、パジャマの上衣と下衣の発明が開示されている。ここでの上衣は、前後の各身頃の脇下側部にある縁端部と、袖を接続する部位に面ファスナーが設置され、これら面ファスナーの着脱により前後の身頃の脇下側部が開放可能となり、また袖も着脱可能としたものである。
一方、ズボン状の下衣は、前後の各身頃において股上から股下にかけて切断され、この切断線に沿って面ファスナーが取り付けられており、これら面ファスナーを剥がすことでズボンの左右は分離可能なものになっている。さらに、股下から裾にかけての内股側も切断されており、その切断線の縁端部には面ファスナーが設置され、これら面ファスナーを剥がすことにより切断部での分離も可能となっている。
このような上衣と下衣を有するパジャマであれば、面ファスナーの着脱によって体を通過させる開口部は広く開口させることができるようになる。したがって、このようなパジャマであれば、手足が不自由な者でも自力で脱ぎ着可能になると考えられる。また、このようなパジャマを寝たきり状態の病人等に着用させることができれば、補助する介護者／補助者は病人の体を僅かに動かす程度で衣服の着替えができるため、介護者等の肉体的・精神的負担を大幅に軽減することも可能となる。
【０００６】
また、特許文献２では、「浮腫マッサージリハビリ用衣服」という名称で、リハビリ用衣服の上衣と下衣の発明が開示されている。この上衣では、前後の身頃が接続される縁端部と、袖の接続部に面ファスナーが設置されている。さらに前身頃においては、衿口から下方の裾を結ぶラインと両脇を結ぶラインが切断されており、その縁端に沿って面ファスナーが設置されている。
一方、下衣においても、前身頃と後身頃が接続される縁端、及び切断された前身頃と後身頃の股上から股下のラインに沿って面ファスナーが設置されている。このように、特許文献２で開示されている上衣と下衣は、複数のパーツから構成されており分解可能なものとなる。このような衣服を用いれば、体を通過させる開口部を広く開くこともできるため衣服の脱ぎ着は容易となり、手足の不自由な者、寝たきり状態の病人の介護者／補助者が衣服の脱ぎ着の際に受ける肉体的・精神的な負担も軽減されると考えられる。
【０００７】
さらに、特許文献３では、「ワンタッチ腰巻」という名称で、介護を要する者、及び介護者に向けた腰巻に関する発明が開示されている。ここで、この腰巻は、布地の合わせ部分の上部に面ファスナーが設置されたものとなる。このような腰巻であれば、従来の腰巻のように脱ぎ着する際に固定用の紐を腰に巻き付けて結んだり解いたりする必要もなくなる。この結果、手足の不自由な者、寝たきり状態の病人を介護／補助する者が衣服を脱ぎ着する際に受ける肉体的・精神的な負担も軽減されると考えられる。
【先行技術文献】
【特許文献】
【０００８】
【特許文献１】特許第５４５３６５５号公報
【特許文献２】登録実用新案第３１４５５７９号公報
【特許文献３】特開平１１−１５８７０１号公報
【発明の概要】
【発明が解決しようとする課題】
【０００９】
特許文献１，２に開示された衣服の発明は、何れも面ファスナーの着脱によって体を通過させる開口部をより広くすることで、脱ぎ着を容易にするものである。しかしながら、これらの衣服はサイズ調整について言及されておらず、構成上サイズ調整はできないと考えられる。そのため、標準体型の者に合わせて衣服が作られている場合、やせ型、肥満型の者にとって、そのような衣服は非常に着心地の悪いものとなる。したがって、特許文献１，２に開示される衣服は脱ぎ着が容易なものの、サイズ調整ができないため、着用する者によっては着心地が悪くなるという課題があった。
【００１０】
さらに、特許文献２に開示されている上衣と下衣は面ファスナーにより接合された多くのパーツから構成され、所望の部位の面ファスナーを剥がすことで当該部位を広く開口させたり、治療の際は治療箇所のパーツのみを簡単に取り外して治療できるという利点を有する。しかしながら、例えば洗濯時に強力な力を受けて衣服が複数のパーツに分解した場合、元の形状に戻すのに多大な時間と労力が必要となり、さらにパーツの取付け位置を間違えてしまうと衣服の形状が歪み、着心地が非常に悪くなるという課題もあった。
【００１１】
一方、特許文献３に開示されている腰巻は脱ぎ着が容易で着心地の良いものとなるが、小さな留め具が腰巻の上部に設置されているのみであり、就寝中に裾が捲り上がったり、多少の負荷がかかると留め具が外れて腰巻が脱げ落ちてしまうという課題があった。このような腰巻を重篤な症状の病人が着用した場合、就寝中に体が冷やされて体調が悪化してしまうことも懸念される。また、胴囲調整がゴムによるものであり、洗濯を繰り返すことでゴムが伸びた場合、胴囲の調整ができなくなるという課題もあった。
【００１２】
本発明は特許文献１〜３での課題を鑑みてなされたものであって、その目的は脱ぎ着が容易でサイズ調整も可能であり、就寝中や活動時に下衣が脱げ落ちたり、裾が捲り上がったりし難いパジャマを提供することにある。
【課題を解決するための手段】
【００１３】
上記目的を達成するため、第１の発明であるパジャマの上衣は、肩部のみ連結された前身頃と後身頃から形成されている胴部と、一対の袖部とから構成され、 
胴部と袖部の接続部では、胴部と袖部にそれぞれ袖部用面ファスナーが対向するように設置されており、胴部の脇下に位置し前身頃の縁端と隣接する後身頃の縁端には、これらの縁端に沿ってそれぞれ側部用面ファスナーが対向するように設置され、胴囲方向において側部用面ファスナーのうち一方が他方よりも幅広となることを特徴とする
【００１４】
このような構成の上衣であれば、袖部用面ファスナーの着脱によって胴部に袖部を容易に着脱することができるという作用を有する。
また、側部用面ファスナーの着脱によって、前身頃と後身頃の肩部にある接続部を蝶番としたクラムシェルのように胴部を広く開口したり閉じたりすることができるという作用を有する。
さらに、対向する側部用面ファスナーのうち一方が他方よりも胴囲方向において幅広になることで、この方向において接着可能な領域が広くなるため、着用者の体形に応じて接着位置を調整できるという作用も有する。
【００１５】
また、第２の発明は、第１の発明におけるパジャマの上衣の袖部において、この袖部を胴部へ取付ける際に袖部の接続位置を示す位置決め部が付されていることを特徴とする。このような袖部であれば、視覚的及び触覚的に袖部の向きを素早く把握できるという作用を有する。
【００１６】
そして、第３の発明は、第１又は第２の発明におけるパジャマの下衣が、表地と裏地とから構成されている略矩形のシート体であり、このシート体の一辺は腰に巻き付けて固定される腰固定部となり、この腰固定部に隣接する二辺の縁端において、これら縁端に沿って表地と裏地に下衣用面ファスナーが対向するように設置され、胴囲方向において下衣用面ファスナーのうち一方が他方よりも幅広となることを特徴とする。
【００１７】
このような下衣であれば、下衣用面ファスナーを接着することで、略矩形のシート体は容易に筒状体となり、この下衣用面ファスナーを剥がせば再び略矩形のシート体にすることができるという作用を有する。
また、対向する下衣用面ファスナーのうち一方が他方よりも胴囲方向において幅広となることで、この方向において接着可能な領域が広くなるため、接着位置を調整できるという作用も有する。
【００１８】
そして、第４の発明は、第３の発明における下衣において、裏地に脚固定用ベルトが設置されていることを特徴とする。このように脚固定用ベルトを設置することで、固定用ベルトを脚に設置することで、下衣は腰だけでなく、その他の異なる位置にも固定できるように作用する。
【発明の効果】
【００１９】
第１の発明であるパジャマによれば、胴部と袖部の接続部において設置された面ファスナーの着脱によって、上衣は長袖タイプや半袖タイプに変更可能となる。これにより、着用者が気分又は季節に合わせて上衣の形態を選択することができるという効果を有する。
また、上衣の袖に腕を通すことが困難な者が着用する場合には、まず袖部を外して腕を通し易くした胴部に腕を通し、後から袖部のみを着用することも可能となる。
さらに、側部用面ファスナーの着脱により胴部の開口部の大きさが変化可能なため、胴部を開口させてから穴に頭部を挿通した後、再び側部用面ファスナーを接着するという簡単な作業で衣服を脱ぎ着できるという効果も有する。
【００２０】
また、対向する側部用面ファスナーのうち一方が他方よりも胴囲方向において幅広となるため、これら側部用面ファスナーを接着する際に胴囲方向における接着位置を調整することが可能となる。すなわち、上衣の胴囲を調整できるという効果を有する。この結果、様々な体型に合わせて簡単に上衣の胴囲調整ができるという効果も有する。
さらに、側部用面ファスナーであるので、着用者が仰向けになり前身頃を胸部から腹部にかけて体の線に沿って置くようにした後に、そのまま今度は後身頃の側面用面ファスナーを対向している前身頃の側部用面ファスナーに接着すれば、体形に沿った胴囲調整が容易に可能である。
【００２１】
また、第２の発明であるパジャマの上衣の袖部によれば、袖部自体の形状に方向性がある場合に袖部に位置決め部が設置されることで、袖部を胴部に取付ける際に取付ける位置、及び向きを間違え難くするという効果を有する。
【００２２】
そして、第３の発明であるパジャマの下衣によれば、この下衣を腰に巻きつけて、二つの対向する下衣用面ファスナーを接着するだけで容易に着用することができるという効果を有する。この結果、手足の不自由な者が下衣を脱ぎ着する際や、寝たきり状態の病人の下衣を介護者が脱ぎ着させる際に、肉体的かつ精神的苦痛も生じ難くなるという効果も有する。
また、下衣用面ファスナーのうち一方が幅広となるため、対向する下衣用面ファスナーを接着する際に胴囲方向における接着位置を調整することが可能となり、その結果、下衣の胴囲も調整できるという効果を有する。これにより、様々な体型に合わせて簡単に下衣の胴囲調整ができるようになる。
【００２３】
さらに、第４の発明であるパジャマの下衣によれば、裏地に設置された脚固定用ベルトにより下衣は腰部以外に脚にも固定することができるため、寝ている際に下衣の裾が捲り上がったり、下衣が脱げ落ちたりすることを防止できるという効果を有する。また、万一、歩行する必要がある際にも脚が下衣の内側で固定され、裾がはだけて脚が露出することもない。
【図面の簡単な説明】
【００２４】
【図１】本発明の実施の形態に係るパジャマの実施例の正面図である。
【図２】本発明の実施の形態に係るパジャマの上衣の実施例の平面図である。
【図３】本発明の実施の形態に係るパジャマの上衣の実施例の外観斜視図である。
【図４】本発明の実施の形態に係るパジャマの上衣であって、他の形態の実施例の正面図である。
【図５】（ａ）は本発明の実施の形態に係るパジャマの下衣の実施例の平面図であり、（ｂ）は使用時の状態を示す外観斜視図である。
【発明を実施するための形態】
【００２５】
以下、本発明のパジャマについて、図１乃至図５を参照しながら説明する。
図１は本発明の実施の形態に係るパジャマであり、上衣と下衣を組み合わせた時の正面図である。
【００２６】
図１に示すように、本発明の実施の形態に係るパジャマ１は、上衣２と下衣３とから構成されている。このうち上衣２は胴部４と一対の袖部５，５とから成り、袖部５，５は胴部４の肩部位に着脱可能に設置されている。
この胴部４は、さらに前身頃４aと後身頃４ｂとから構成されており、この前身頃４aと後身頃４ｂは、胴部４の肩側に位置する縁部と、脇下から裾に亘って位置する縁部がそれぞれ結合されたものとなる。
ここで、前身頃４aと後身頃４ｂの結合方法については、肩の上端部分にある縁部は縫い合わされたものであり、脇下から裾にかけて形成されている縁部は、この縁部に沿って対向するように設置されている側部用面ファスナー４ｃ，４ｄ（図１には符号４ｄは示されず）によって結合されている（図２の説明において詳細に述べる）。
一方、略矩形のシート体である下衣３は、表地３ａを図に示す通り腰の周りにおいて筒状に巻いて着用する。後の図５の説明の際に詳細を説明するが、筒状への形成は、表地３ａの縁端に設置されている下衣用面ファスナー３ｅと表地３ａに符合する裏地３ｂ（図示せず）の縁端に設置されている下衣用面ファスナー３ｆを結合させて行う。
次に、図２、図３を参照しながら、パジャマ１の上衣２について詳細に説明する。
【００２７】
図２は本発明の実施の形態に係るパジャマの上衣の平面図であり、胴部と袖部とが分離され、かつ側部用面ファスナーが剥がされて広げられている状態を示している。また、図３は本発明の実施の形態に係るパジャマの上衣に関する外観斜視図であり、図２と同様に胴部と袖部が切り離された状態であり、胴部の面ファスナーは結合された状態を示している。
【００２８】
図２より、胴部４の肩の上部にある前身頃４aと後身頃４ｂの縁端４e，４ｆは、互いに縫い合わされて接続されたものとなる。一方、脇下から裾にかけて形成されている前身頃４aと後見頃４ｂの各縁端４ｇ，４ｈには、これらに沿って、前身頃４a側に側部用面ファスナー４ｃ、後身頃４ｂ側に側部用面ファスナー４ｄが対向するように設置され、このうち側部用面ファスナー４ｃは幅広に形成されている。
【００２９】
また、胴部４と袖部５の接続部においては、胴部４の側に袖部用面ファスナー４ｉが、袖部５の側には袖部用面ファスナー５aが対向するように設置されている。なお、袖部面ファスナー５a上において、肩の上端に近い位置に位置決め部５ｂが形成されている。図３に詳細に示すように、対向する側部用面ファスナー４ｃ，４ｄが接合された胴部４に、袖部５の袖部用面ファスナー５aを貼り付ける時に、位置決め部５ｂは肩口の上端に位置するように設定されている。
袖部５の位置決め部５ｂに符合させる箇所を特定するために、胴部４側では目印等を示していないのは、肩口の上端に対応する箇所は印等がなくとも判断が容易であるためで、肩口の下端の場合も同様に判断が容易と考えられるが、肩口の周囲の他の位置に設定した場合には、胴部４側にも位置決め部５ｂに符合する位置に位置決め部を設置することが望ましい。
【００３０】
このように構成された本発明の実施の形態に係るパジャマ１の上衣２においては、側部面ファスナー４ｃ，４ｄを剥がすことにより、体の通過口となる胴部４の腰付近の開口部を大きく開放できるという作用を有す。また、側部用面ファスナー４ｃは、これに対向するように設置された側部用面ファスナー４ｄに比べて幅広に形成されていることで、側部用面ファスナー４ｄの接着位置を胴囲方向において調整可能になるという作用を有する。
【００３１】
なお、ここでは側部用面ファスナー４ｃを幅広としているが、特に側部用面ファスナー４ｃに限定したものではなく、側部用面ファスナー４ｄが幅広であっても良い。また、例示していないが、側部用面ファスナー４ｃ，４ｄは、図２及び図３に示すように脇下から裾にかけて連続した略矩形状のものでなく、小サイズの面ファスナーが間隔を空けて配置されているものでも良い。この場合、各面ファスナーの間が接着されていないため、面ファスナーの間で通気が容易になるという作用を有する。
【００３２】
また、上衣２において、胴部４の肩部位にある袖部用面ファスナー４ｉと袖部５側の袖部用面ファスナー５aの着脱により、胴部４から袖部５を容易に着脱可能になるという作用を有する。さらに、袖部用面ファスナー５a上に袖部５の位置決め部５ｂが形成されていることで、胴部４に袖部５が設置される際に、袖部５の向きを一定にするための標識になるという作用を有する。なお、この位置決め部５ｂの設置場所は、肩口の周囲であれば特に限定はなく、位置決め部５ｂにより結合時・使用時に袖５の方向性を認識できるものであれば良い。
【００３３】
上述した作用により、本発明の実施の形態に係るパジャマ１の上衣２は、側部面ファスナー４ｃ，４ｄを剥がすことにより、体の通過口となる胴部４の腰付近の開口部を大きく開放できるため、体を上衣２に通過させることが容易となり、上衣２の脱ぎ着が容易になるという効果を有する。さらに、上衣２であれば、手足の不自由な者や寝たきり状態の病人を介護／補助する者でも容易に脱ぎ着することができるため、彼らの肉体的かつ精神的負担が軽減できるという効果も有する。
加えて、側部用面ファスナー４ｃを側部用面ファスナー４ｄに接着する際に、側部用面ファスナー４ｃが幅広であり接着位置を胴囲方向で調整可能となるため、使用者は上衣２の胴囲サイズを体型に合わせて調整することも可能となる。その結果、どのような体型であっても着心地の良い衣服になるという効果も有する。
特に、側部用面ファスナーであるので、寝たきりの着用者が仰向けになった状態で、前身頃を胸部から腹部にかけて体の線に沿って載せた後に、そのまま今度は後身頃の側面用面ファスナーを対向している前身頃の側部用面ファスナーに接着すれば、その行為が体形に沿った胴囲調整となるため、体形に即した着用が容易に可能である。
【００３４】
また、袖部５は袖部用面ファスナー４ｉと袖部用面ファスナー５aの着脱により、容易に胴部４からの着脱が可能となる。これにより、上衣２は季節に合わせて長袖タイプや半袖タイプに変化させることができるという効果を有する。また、怪我等により袖５に腕を通すことが難しい者が、長袖タイプの上衣２を着用する場合、まず半袖タイプとした上衣２を着用し、その後袖５に腕を通すことも可能である。したがって、袖部５が着脱可能であれば、着る者の状態に合わせて着用方法が種々選択できるという効果も有する。
【００３５】
さらに、袖部用面ファスナー５a上に位置決め部５ｂが形成されていることで、胴部４に袖部５を設置する際に、袖５の向きや位置を間違えたりすることがなくなるという効果も有する。なお、例示はしていないが、この位置決め部５ｂに文字や図形等の情報を記載したり、一対の袖部５のそれぞれで形状を異なるものとしたりすることも可能である。これにより、着用する者が袖部５の向きや位置を視覚等により直感的に把握することが可能となり、着用者が左右で異なる袖部５の認識とそれぞれの接続位置をより間違い難くするという効果があると考えられる。
【００３６】
また、上衣２にスライドファスナー等を設置して、上衣２に新たな作用、効果を加えても良い。そのような新たな作用、効果を加えた例を図４に示す。図４は本発明の実施の形態に係るパジャマの上衣の、他の形態の正面図である。なお、既に説明した上衣２と同一の構成要素については同一の符号を付しており、その構成の説明は省略する。
図４に示す上衣（上衣６）は上衣２と基本構造は同じものであるが、前身頃４ａの中央にスライドファスナー７を併設している点で異なる。基本構造は上衣２と同じであるため、上衣６は上衣２と同じ作用、効果を有するが、上衣６は前身頃４ａの中央に配置したスライドファスナー７の存在により、頭部を通過させる開口部を広く開口することができるという作用を有する。この作用により、上衣６は頭部が通過し易く、上衣２比べて更に脱ぎ着し易くなるという効果があると考えられる。また、開口部の開き具合を調整することで、体温調整もできるという効果も有する。
【００３７】
次に、下衣３について、図５に基づいて詳細を説明する。図５(ａ)は本発明の実施の形態に係るパジャマの下衣の平面図であり、同図（ｂ）は実際の使用時のように筒状に巻いた状態を示したものである。
図５（ａ）に示すように、本発明の実施の形態に係るパジャマのうちの下衣３は、略矩形のシート体であり、表地３ａと裏地３ｂを有すものとなる。なお、図５（ａ）に示す下衣３の上端となる辺は腰に巻き付けて固定される腰固定部となるように配置されており、この腰固定部に当たる辺の縁端３ｇに隣接する二辺の縁端３ｃ，３ｄには、同図（ｂ）に示すように、これら縁端３ｃ，３ｄに沿って表地３ａに下衣用面ファスナー３eと、裏地３ｂに下衣用面ファスナー３ｆが、下衣３を表地３ａが外表面となるように巻いた場合に対向するように設置されている。そして、下衣用面ファスナー３eが下衣用面ファスナー３ｆよりも胴囲方向にて幅広となる。加えて、表地３ａ側において、縁端３ｇと縁端３ｄとの交点部分に紐３ｈが設置され、さらに下衣用面ファスナー３ｅの二つの長辺のうち縁端３ｃから最も離れた辺と縁端３ｇとの交点部分に紐３ｉが設置されている。さらに、裏地３ｂには、その下方側で着用者の足首近傍に符合する位置において、縁端３ｇと平行な方向に２つの脚固定用ベルト３ｊ，３ｊが間隔を開けて設置されている。
【００３８】
このように構成された本発明の実施の形態に係るパジャマ１の下衣３において、下衣用面ファスナー３e，３ｆを着脱することで、下衣３はシート状から筒状に簡単かつ可逆的に変化させることが出来るという作用を有する。また、下衣用面ファスナー３eが下衣用面ファスナー３ｆよりも幅広に形成されていることで、下衣用面ファスナー３ｆの接着位置を胴囲方向において調整可能になるという作用を有する。加えて、紐３ｈと紐３ｉは張力をかけながら結んだり解いたりすることができ、これらを腰に巻き付けて結べば、下衣３を腰に強く固定できるという作用を有する。さらに、裏地３ｂには２つの脚固定用ベルト３ｊ，３ｊが設置されていることで、下衣３は着用する者の両足と接続できるという作用を有する。
【００３９】
なお、ここでは例示していないが、下衣用面ファスナー３e，３ｆは、図５に示すように連続した略矩形状のものでなく、小サイズの面ファスナーが間隔を空けて配置されたものでも良い。この場合、各面ファスナーの間が接着されていないため、各面ファスナーの間で通気が容易になるという作用を有する。
また、下衣用面ファスナー３eを幅広としているが、特に下衣用面ファスナー３eを幅広にしなければならないわけではなく、下衣用面ファスナー３ｆが幅広であっても良い。これらの構成であっても、下衣用面ファスナー３e又は３ｆの接着位置を胴囲方向において調整できるという作用を有する。
【００４０】
上述した作用により、本発明の実施の形態に係るパジャマ１の下衣３を着用する際には、腰固定部となる一辺を腰周りに巻き、下衣用面ファスナー３e，３ｆを接着して紐３ｈと紐３ｉを結ぶだけで良く、また下衣３を脱ぐ場合も、結ばれた紐３ｈと紐３ｉを解き、下衣用面ファスナー３e，３ｆを剥がすだけで良い。このように下衣３は簡単に脱ぎ着が可能となるため、手足の不自由な者、及び寝たきり状態の病人を介護／補助する者の衣服の脱ぎ着における肉体的かつ精神的な負担が軽減できるという効果を有する。
【００４１】
なお、紐３ｈと紐３ｉは、下衣用面ファスナー３ｅ，３ｆが剥がれた際に下衣３の脱落を防止するものであるが、必ず設置しなければならないわけではない。下衣３の生地が非常に伸縮し易い特性を有す場合、また使用時に下衣３に大きな引張力が加わることがない場合には、下衣用面ファスナー３ｅ，３ｆは剥離し難いため、紐３ｈと紐３ｉを結ぶことによる固定が不要と考えられるからである。紐３ｈと紐３ｉを設置する必要がない場合は、これらを結んだり解いたりするという作業がなくなるため、さらに下衣３の脱ぎ着は容易になるという効果を有することになる。
また、下衣用面ファスナー３eを下衣用面ファスナー３ｆに接着する際に、下衣用面ファスナー３eが幅広であり接着位置を胴囲方向で調整可能となることで、体型に合わせて下衣３の胴囲サイズを調整することが可能となる。その結果、どのような体型であっても着心地の良い衣服になるという効果も有する。
【００４２】
さらに、裏地３ｂに設置された脚固定用ベルト３ｊ，３ｊを各脚に固定することで、下衣３が脱げ落ちたり、特に、足首近傍で固定することによれば下衣３の裾が捲れ上がりし難くなるという効果を有する。このような効果により、重篤な症状の病人が下衣３を着用すれば、就寝中に下衣３の裾が捲り上がったり脱げたりすることがなくなるため、病人の予期せぬ体の冷却も抑えられ、治療効果も一層高まると考えられる。なお、万一、歩行する必要がある際にも、脚が下衣の内側で固定され、裾がはだけて脚が露出することもない。
【産業上の利用可能性】
【００４３】
本発明の請求項１乃至請求項４に記載された発明は、脱ぎ着が容易でサイズの調整も容易であり、手足の不自由な者、寝たきり状態の高齢者や病人等が着用する衣服として利用可能である。
【符号の説明】
【００４４】
１…パジャマ  ２…上衣  ３…下衣  ３a…表地  ３ｂ…裏地  ３ｃ…縁端  ３ｄ…縁端  ３e…下衣用面ファスナー  ３ｆ…下衣用面ファスナー  ３ｇ…縁端  ３ｈ…紐  ３ｉ…紐  ３ｊ…脚固定用ベルト  ４…胴部  ４a…前身頃  ４ｂ…後身頃  ４ｃ…側部用面ファスナー  ４ｄ…側部用面ファスナー  ４ｅ…縁端  ４ｆ…縁端  ４ｇ…縁端  ４ｈ…縁端  ４ｉ…袖部用面ファスナー  ５…袖部  ５ａ…袖部用面ファスナー  ５ｂ…位置決め部  ６…上衣  ７…スライドファスナー
【図１】
2020063530.tif 000003
【図２】
2020063530.tif 000004
【図３】
2020063530.tif 000005
【図４】
2020063530.tif 000006
【図５】
2020063530.tif 000007